(57)【特許請求の範囲】
【請求項１】
アクセサリが装着される係合部材と、
前記係合部材に装着されたアクセサリと接続される端子を備えた信号端子コネクタと、
前記係合部材が取り付けられた外装部材と、
前記信号端子コネクタの前記係合部材に対する相対的な位置を決める位置決め手段と、を備え、
前記外装部材は、前記信号端子コネクタの端子を外部に露出させるための開口を有していて、
前記信号端子コネクタと前記係合部材は、前記外装部材の前記信号端子コネクタを囲む部分を挟み込むようにして前記位置決め手段によって相互に固定されていることを特徴とするアクセサリーシュー装置。
【請求項２】
前記外装部材は、前記信号端子コネクタとの間に弾性部材を介在させて、前記信号端子コネクタと前記係合部材とによって挟み込まれることを特徴とする請求項１記載のアクセサリーシュー装置。
【請求項３】
前記位置決め手段は、少なくとも前記係合部材へのアクセサリの装着方向に交叉する方向における前記係合部材に対する前記信号端子コネクタの位置を決定することを特徴とする請求項１又は２記載のアクセサリーシュー装置。
【請求項４】
前記信号端子コネクタの各端子は、それぞれリード部を介して基板と接合されており、
前記位置決め手段は、前記係合部材へのアクセサリの装着方向に交叉する方向において、最も外側のリード部よりも外側であって、前記係合部材の投影面積内に配置されていることを特徴とする請求項１乃至３のいずれか１項に記載のアクセサリーシュー装置。
【請求項５】
前記信号端子コネクタは、前記係合部材へのアクセサリの装着方向において、信号端子ステージよりも前方に配置されていることを特徴とする請求項１乃至４のいずれか１項に記載のアクセサリーシュー装置。
【請求項６】
前記係合部材は、前記外装部材の外観面側から組み立てられる部材であり、前記信号端子コネクタは、前記外装部材の反外観面側から組み立てられる部材であることを特徴とする請求項１乃至５のいずれか１項に記載のアクセサリーシュー装置。
【請求項７】
前記係合部材は、該係合部材に装着されるアクセサリを、前記係合部材への前記アクセサリの装着方向と交叉する方向に付勢する付勢手段を備えていることを特徴とする請求項１乃至６のいずれか１項にアクセサリーシュー装置。
【請求項８】
前記係合部材は、アクセサリを装着するための一対の第１の係合部及び一対の第２の係合部を備え、前記第２の係合部相互の間隔は、前記第１の係合部相互の間隔よりも広いことを特徴とする請求項１乃至７のいずれか１項に記載のアクセサリーシュー装置。
【請求項９】
アクセサリを装着するためのアクセサリーシュー装置を備えた撮像装置であって、前記アクセサリーシュー装置は、請求項１乃至８のいずれか１項に記載のアクセサリーシュー装置であることを特徴とする撮像装置。
【発明の詳細な説明】
【技術分野】
【０００１】
本発明は、アクセサリを装着するアクセサリーシュー装置、及び該アクセサリーシュー装置を備えた撮像装置に関する。
【背景技術】
【０００２】
撮像装置として、撮影用アクセサリ（以下、単に「アクセサリ」という。）が装着可能なアクセサリーシュー装置を備えた撮像装置が知られている。そして、撮像装置のアクセサリーシュー装置には、アクセサリを装着するための係合部が設けられている。
【０００３】
アクセサリーシュー装置に装着されるアクセサリとして、外部ストロボ装置だけでなく、小型液晶画面を備えた電子ビューファインダ（外部表示装置）が挙げられる。電子ビューファインダが装着可能なアクセサリーシュー装置は、係合部の領域内に、外部ストロボ装置を接続するための接続端子に加えて、電子ビューファインダを装着するための複数の接続端子からなる接続用コネクタを備えている。これによって、アクセサリーシュー装置は、一の係合部に外部ストロボ装置と電子ビューファインダの２種類のアクセサリを選択的に取り付け可能な構成となっている。
【０００４】
外部ストロボ装置を装着するためのアクセサリーシュー装置にはＪＩＳ規格による形状の規定が設けられている。ＪＩＳ規格ではアクセサリのコネクタ部が係合する係合部形状と、外部ストロボ装置とシンクロナイザ接点との位置関係が定められている。
【０００５】
また、近年、電子ビューファインダにおいては、高画素化、高フレームレート化の要請に伴い撮像装置との接続信号端子数が増加する多極化の傾向にある。そのため、アクセサリーシュー装置の係合部の形状内部で電子ビューファインダ接続用のコネクタを多極化しようとする試みがあるが、スペース上の制約もあって容易ではない。また、スペース上の制約がある中で、電子ビューファインダ接続用のコネクタを多極化しようとすると、アクセサリーシューと、接続用コネクタの端子が並ぶピッチ方向の位置精度は、電気的な接続を正常に行うためにも、ますます重要になってくる。
【０００６】
そこで、アクセサリーシューと接続用コネクタを一体化したアクセサリーシュー装置が提案されている（特許文献１）。
【先行技術文献】
【特許文献】
【０００７】
【特許文献１】特開２０１５−１４１４０３号公報
【発明の概要】
【発明が解決しようとする課題】
【０００８】
特許文献１のアクセサリーシュー装置では、アクセサリーシューと電子ビューファインダ接続用の信号端子コネクタが一体化されたことにより、アクセサリーシューと信号端子コネクタの端子が並ぶピッチ方向の位置精度が確保される構造になっている。
【０００９】
しかしながら、ユニット化されたアクセサリーシューを撮像装置（カメラ）本体と電気的に接続する必要がある。そのため、撮像装置（カメラ）本体には、内部のメイン基板にアクセサリーシューが実装されたフレキシブル基板を接続するために、アクセサリーシューの取り付け部近傍にフレキシブル基板を通す開口を設けなければならない。ただし、このような構成では、アクセサリーシューの取り付け部とアクセサリーシューとの間の隙間、及びフレキシブル基板が挿入される開口の周辺部を経て外部からの水滴又は湿気が撮像装置内への進入する虞があった。
【００１０】
本発明は、多極化した信号端子コネクタにおける端子が並ぶピッチ方向の位置精度を確保しつつ、防滴性能を高めることが可能なアクセサリーシュー装置、及び該アクセサリーシュー装置を備えた撮像装置を提供することを目的とする。
【課題を解決するための手段】
【００１１】
上記目的を達成するために、請求項１記載のアクセサリーシュー装置は、アクセサリが装着される係合部材と、前記係合部材に装着されたアクセサリと接続される端子を備えた信号端子コネクタと、前記係合部材が取り付けられた外装部材と、前記信号端子コネクタの前記係合部材に対する相対的な位置を決める位置決め手段と、を備え、前記外装部材は、前記信号端子コネクタの端子を外部に露出させるための開口を有していて、前記信号端子コネクタと前記係合部材は、前記外装部材の前記信号端子コネクタを囲む部分を挟み込むようにして前記位置決め手段によって相互に固定されていることを特徴とする。
【００１２】
また、上記目的を達成するために、請求項９記載の撮像装置は、アクセサリを装着するためのアクセサリーシュー装置を備えた撮像装置であって、前記アクセサリーシュー装置は、請求項１乃至８のいずれか１項に記載のアクセサリーシュー装置であることを特徴とする。
【発明の効果】
【００１３】
本発明によれば、信号端子コネクタと係合部材とを信号端子コネクタの周囲を囲む撮像装置の外装部材を挟み込むようにして固定したので、ピッチ方向の位置精度を確保しつつ信号端子コネクタと外装部材との隙間をなくして防滴性能を確保することができる。
【図面の簡単な説明】
【００１４】
【図１】実施の形態に係る撮像装置を示す図であり、図１（ａ）は背面方向から見た斜視図、図１（ｂ）は、外部ストロボ装置を装着した状態を示す背面方向からの斜視図である。また、図１（ｃ）は、外部表示装置を装着した状態を示す背面方向からの斜視図、図１（ｄ）は、アクセサリーシュー装置への外部表示装置の装着方法を示す図である。
【図２】図１の撮像装置におけるアクセサリーシュー装置の構成を示す図であって、図２（ａ）は、分解斜視図、図２（ｂ）は、組立斜視図である。
【図３】アクセサリーシュー装置の主構成部材を説明するための図であり、図３（ａ）は、係合部材の上面の斜視図、図３（ｂ）は、係合部材の下面の斜視図、図３（ｃ）は、信号端子コネクタの斜視図である。
【図４】係合部材に対する信号端子ステージと信号端子コネクタの位置決めを説明するための分解斜視図である。
【図５】トップカバーのアクセサリーシュー装置が取り付く箇所を示す斜視図及びその拡大斜視図であり、図５（ａ）は、トップカバーの外観面側を示した図であり、図５（ｂ）は、トップカバーの内観面側を示した図である。
【図６】アクセサリーシュー装置の周辺構造を説明するための拡大断面図であり、図６（ａ）は、Ｘ方向に直交する断面図であり、図６（ｂ）は、Ｚ方向に直交する断面図である。
【発明を実施するための形態】
【００１５】
以下、本発明の実施の形態について、図面を参照しつつ詳細に説明する。
【００１６】
図１は、実施の形態に係る撮像装置を示す図であり、図１（ａ）は背面方向から見た斜視図、図１（ｂ）は、外部ストロボ装置を装着した状態を示す背面方向からの斜視図である。また、図１（ｃ）は、外部表示装置を装着した状態を示す背面方向からの斜視図、図１（ｄ）は、アクセサリーシュー装置への外部表示装置の装着方法を示す図である。
【００１７】
図１（ａ）において、撮像装置１０は、図示省略した撮像素子に被写体像を取り込むためのレンズ鏡筒１１、液晶モニター１２、アクセサリーシュー装置（以下、単に、「アクセサリーシュー」という。）１３、及びトップカバー１４を備えている。撮像装置１０の使用者は、液晶モニター１２によって被写体像を確認することができる。アクセサリの取り付け部としてのアクセサリーシュー１３は、外装部材としてのトップカバー１４の一部を形成している。
【００１８】
図１（ｂ）において、撮像装置１０のアクセサリーシュー１３にアクセサリとしての外部ストロボ装置（以下、単に、「外部ストロボ」という。）１５が装着されている。外部ストロボ１５は、撮影時に被写体に光を照射するために用いる。また、図１（ｃ）において、撮像装置１０のアクセサリーシュー１３に小型液晶装置を備えた外部表示装置としての電子ビューファインダ１６が装着されている。撮像装置１０の使用者は、電子ビューファインダ１６によって、液晶モニター１２と同様に、撮像素子に取り込まれる被写体像を確認することができる。
【００１９】
また、図１（ｄ）において、電子ビューファインダ１６は、撮像装置本体のアクセサリーシュー１３に接続するための接続プラグ１６ａを備えている。電子ビューファインダ１６は、図１（ｄ）中、矢印Ｚ方向に平行にスライドさせて接続プラグ１６ａとアクセサリーシュー１３を係合させることによって撮像装置１０に装着される。スライド方向は、撮像装置１０の背面側、つまり液晶モニター１２側からレンズ鏡筒１１へ向かう方向である。
【００２０】
次に、撮像装置１０のアクセサリーシュー１３の構成について説明する。
【００２１】
図２は、図１の撮像装置１０におけるアクセサリーシュー１３の構成を示す図であって、図２（ａ）は、分解斜視図、図２（ｂ）は、組立斜視図である。
【００２２】
図２（ａ）中、矢印Ｚ方向は、アクセサリーシュー１３に対するアクセサリの装着方向を示している。また、矢印Ｘ方向は、アクセサリの装着方向と直角に交叉しトップカバー１４の長手方向に平行な方向を示している。矢印Ｙ方向は、アクセサリの装着方向とトップカバー１４の長手方向とに直角に交叉する方向で、トップカバー１４に対するアクセサリーシュー１３の組立方向を示している。なお、トップカバー１４は、撮像装置１０の上面の外観を形成する外装部材であって、アクセサリーシュー１３が取り付けられる。
【００２３】
図２において、アクセサリーシュー１３は、係合部材２０、外部ストロボ用の信号端子ステージ２１、電子ビューファインダ１６用（外部表示装置用）の信号端子コネクタ２２、及びアクセサリーシュースプリング２７から主として構成されている。
【００２４】
係合部材２０は、アクセサリとしての外部ストロボ１５又は電子ビューファインダ１６を係合保持するための部材である。外部ストロボ用の信号端子ステージ２１（以下、単に、「信号端子ステージ」という。）は、合成樹脂材料で形成されたステージベース部材２１ａと、該ステージベース部材２１ａに保持されたシンクロナイザ接点２１ｂと、複数の接点２１ｃを備えている。信号端子ステージ２１は、係合部材２０の位置決め部（後述する図３参照）によって配置位置が決定される。信号端子ステージ２１は、外部ストロボ装置との間で信号を通信するための端子である。
【００２５】
電子ビューファインダ１６用の信号端子コネクタ２２（以下、単に「信号端子コネクタ」という。）は、合成樹脂材料で形成されたコネクタベース部材にＸ方向に等ピッチで並設された複数の端子（後述する図３（ｃ）参照）を備えている。
【００２６】
信号端子ステージ２１のシンクロナイザ接点２１ｂ、複数の接点２１ｃ、及び信号端子コネクタ２２の複数の端子は、それぞれトップカバー１４の下方に配置されたフレキシブル基板２３と電気的に接合される。フレキシブル基板２３は、撮像装置１０の主基板（図示省略）に接続され、外部ストロボ１５や電子ビューファインダ１６と電気的に接続可能に構成されている。これによって、係合部材２０に装着された外部ストロボ１５又は電子ビューファインダ１６は、撮像装置１０と通信可能となる。
【００２７】
信号端子コネクタ２２の全周を囲うようにパッキン部材２４が配置されている。パッキン部材２４は、ゴム部材など小さな力で大きく変形し、かつ大きな弾性歪領域を持った弾性部材で構成されている。パッキン部材２４の配置については、後述する。
【００２８】
アクセサリーシュー保持部材２５は、係合部材２０を保持する構造躯体であり、トップカバー１４に対して締結部によって位置決め（図示省略）されている。締結部は、例えば、４本のビス２６を備えており、ビス２６は、図２（ａ）中、係合部材２０、トップカバー１４、及びフレキシブル基板２３を貫通してアクセサリーシュー保持部材２５まで到達し、アクセサリーシュー保持部材２５に締結される。
【００２９】
信号端子ステージ２１は、その外周部が係合部材２０とトップカバー１４によって挟持されることによって固定されている。信号端子コネクタ２２は、トップカバー１４とアクセサリーシュー保持部材２５によって挟持され、パッキン部材２４が押し潰されることによって、トップカバー１４と信号端子コネクタ２２との間の隙間が埋められている。
【００３０】
アクセサリーシュースプリング２７は、導電性を有する金属材料で構成されている。アクセサリーシュースプリング２７は、係合部材２０に装着されたアクセサリをＹ方向に付勢するための弾性変形部２７ａと、アクセサリのＺ方向の突き当てを行う突当面２７ｂを備えている。トップカバー１４には、摺動孔１４ｃが形成されており、この孔を貫通してアクセサリーシュースプリング２７に当接するように検出ピン２８が設けられている。
【００３１】
接片部材２９は、検出ピン２８を挟んでアクセサリーシュースプリング２７に対向する位置に配置されている。接片部材２９は、アクセサリがアクセサリーシュー１３に装着されていないとフレキシブル基板２３に設けられたパターン（図示省略）に当接している。アクセサリがアクセサリーシュー１３に装着されると、検出ピン２８はアクセサリーシュースプリング２７でＹ方向に押し下げられる。その結果、接片部材２９はフレキシブル基板２３のパターンから離れることによってアクセサリが装着されたことを検出する。このようにして、撮像装置１０にアクセサリが装着されたことが検知され、その後、装着されたアクセサリが撮像装置１０と同期する。
【００３２】
図２（ｂ）において、係合部材２０は、アクセサリとしての外部ストロボ１５又は電子ビューファインダ１６を係合保持するための部材である。係合部材２０の内側には外部ストロボ１５との接続端子である信号端子ステージ２１が設けられている。信号端子ステージ２１の中央部にはシンクロナイザ接点２１ｂが設けられている。シンクロナイザ接点２１ｂの近傍にある複数の接点２１ｃは、係合部材２０に係合された外部ストロボ１５を制御するための通信用端子である。
【００３３】
信号端子コネクタ２２は、電子ビューファインダ１６の装着方向、すなわち、図２中、矢印Ｚ方向においてシンクロナイザ接点２１ｂよりもＺ方向前方に配置されている。シンクロナイザ接点２１ｂと信号端子コネクタ２２の間には外部ストロボ１５のロックピン（不図示）が係合する第１の係合孔２０１が設けられている。接点２１ｃの近傍には電子ビューファインダ１６の係合爪（不図示）が係合する一対の第２の係合孔２０２が設けられている。
【００３４】
図２において、係合部材２０は、外装部材１４の外観面側から組み立てられる部材であり、信号端子コネクタ２２は、外装部材の内観面側（反外観面側）から組み立てられる部材である。
【００３５】
次に、アクセサリーシュー１３の主構成部材について詳細に説明する。
【００３６】
図３は、アクセサリーシュー装置１３の主構成部材を説明するための図であり、図３（ａ）は、係合部材２０の上面の斜視図、図３（ｂ）は、係合部材２０の下面の斜視図である。また、図３（ｃ）は、信号端子コネクタ２２の斜視図である。
【００３７】
図３において、係合部材２０は、概略、板状の金属材料をループ状に折り曲げて形成されている。すなわち、板状の金属材料をループ状に折り曲げた両端部の端面が、対向して当接するように折り曲げられている。対向する両端面が当接する部分は、継ぎ目２０ａとなる。
【００３８】
係合部材２０は、一対の係合部２０ｂ、該一対の係合部２０ｂを相互に連結する連結部２０ｃを有している。係合部材２０における継ぎ目２０ａを有する面には、信号端子ステージ２１を位置決めするための第１の位置決め部２０ｄ、及び、信号端子コネクタ２２を位置決めするための一対の第２の位置決め部２０ｅが形成されている。また、係合部材２０には、係合部材２０自身をトップカバー１４に位置決めするための一対の第１のビス孔２０ｆ、及び、一対の第２のビス孔２０ｇが形成されている。また、係合部材２０には、外部ストロボ１５のロックピン（不図示）と係合する第１の係合孔２０１、及び電子ビューファインダ１６の２つの係合爪（不図示）とそれぞれ係合する一対の第２の係合孔２０２、並びに検出ピン用の貫通孔２０ｈが形成されている。
【００３９】
図３（ａ）において、第１の係合部である一対の係合部２０ｂ相互は、Ｘ方向に所定の距離だけ離間している。すなわち、一対の係合部２０ｂには、アクセサリの接続プラグが挿入可能に係合部間隔２０ｂａが設けられている。また、一対の係合部２０ｂのＺ方向後方に、第１の係合部２０ｂと同様、アクセサリの接続プラグが挿入可能に一対の係合部２０ｊからなる第２の係合部が設けられている。第２の係合部相互の間隔は、第１の係合部相互の間隔よりも広い。第１及び第２の係合部を構成する構成部材の下方部分の側壁間隔は、第２の係合部相互の間隔よりも更に広く、この間隔を、内側側壁間隔２０ｂｂという。
【００４０】
係合部材２０の中央の第１の位置決め部２０ｄは、信号端子ステージ２１を位置決めする。係合部材２０のＺ方向先端部の第２の位置決め部２０ｅは、信号端子コネクタ２２を位置決めする。一対の第２の位置決め部２０ｅは、シンクロナイザ接点２１ｂ（図２参照）よりＺ方向前側にて、Ｘ方向に離間して形成されている。
【００４１】
図３（ｂ）において、係合部材２０の継ぎ目２０ａは、第１の係合孔２０１と一対の第１のビス孔２０ｆの一方との間に位置するように設けられている。
【００４２】
一対の第１のビス孔２０ｆは、Ｘ方向に離間して形成されている。すなわち、一対の第１のビス孔２０ｆは、シンクロナイザ接点２１ｂよりＺ方向前方にて、Ｘ方向に並ぶ一対の第１の締結孔として機能する。また、一対の第２のビス孔２０ｇは、Ｘ方向に離間して形成されている。すなわち、一対の第２のビス孔２０ｇは、シンクロナイザ接点２１ｂよりＺ方向後方にて、Ｘ方向に並ぶ一対の第１の締結孔として機能する。
【００４３】
第１の係合孔２０１は、アクセサリの有するロックピンと係合可能な孔であり、一対の第１のビス孔２０ｆの間に形成されている。一対の第２の係合孔２０２は、外付けアクセサリの有する一対の係合突起とそれぞれ係合可能な孔である。一対の第２の係合孔２０２は、該一対の第２の係合孔２０２と一対の第２のビス孔２０ｇとがＺ方向に並ぶように形成されている。また、一対の第２の係合孔２０２は、一対の第２のビス孔２０ｇに対してＺ方向後側に配置されている。
【００４４】
図３（ｃ）において、信号端子コネクタ２２には、電子ビューファインダ１６の装着方向であるＺ方向に垂直な第１の接点面２２ａが設けられている。第１の接点面２２ａから、複数の接続端子からなる第１の端子列２２ｂが露出している。電子ビューファインダ１６の装着方向の手前側には第１の接点面２２ａに対し傾斜した第２の接点面２２ｃが設けられている。第２の接点面２２ｃから、複数の接続端子からなる第２の端子列２２ｄが露出している。第１の端子列２２ｂの端子と、第２の端子列２２ｄの端子は、相互に千鳥配列となっている。
【００４５】
第１の接点面２２ａと第２の接点面２２ｃの間には第３の面２２ｄが設けられている。第３の面２２ｄには電子ビューファインダ１６の接続プラグ１６ａ（図１ｄ参照）との嵌合関係を規制する嵌合キー２２ｅが設けられている。嵌合キー２２ｅの前後に位置する第１列側の端子２２ｆと第２列側の端子２２ｇの少なくともいずれかは、電子ビューファインダ１６の接続プラグ１６ａが接続されたことを検出する検出信号端子である。これにより類似形状の外部アクセサリ装置が装着されようとしても嵌合キー２２ｅによる形状規制により検出信号端子が接続されなくなる。その結果、撮像装置１０に対し異なる外付けアクセサリが誤装着されても検出信号端子が接続されず、撮像装置１０とは通信することはできない。このような構成によって、特定のアクセサリを装着する機能が保たれている。
【００４６】
信号端子コネクタ２２には、フレキシブル基板２３と電気的に接合されるリード部よりも上側に、全周にフランジ部２２ｈが形成されている。フランジ部２２ｈには、Ｙ方向に伸延する一対の位置決め凸部２２ｉが形成されている。位置決め凸部２２ｉは、端子列が並ぶピッチ方向であるＸ方向に対して、プリント配線板と接合される最も外側の端子のリード部よりも更に外側に設けられている。また、位置決め凸部２２ｉは、トップカバー１４に対するアクセサリーシュー１３の組立方向（Ｙ方向）に対して、係合部材２０の投影面積内に設けられている。位置決め凸部２２ｉは、係合部材２０の一対の第２の位置決め部２０ｅと嵌合することで信号端子コネクタ２２と係合部材２０が位置決めされる。
【００４７】
次に、係合部材２０に対する信号端子ステージ２１と信号端子コネクタ２２の位置決め方法について詳しく説明する。
【００４８】
図４は、係合部材２０に対する信号端子ステージ２１と信号端子コネクタ２２の位置決めを説明するための分解斜視図である。
【００４９】
図４において、係合部材２０には、該係合部材２０と信号端子ステージ２１とを位置決めするための第１の位置決め部２０ｄが形成されている。信号端子ステージ２１のステージベース部材２１ａには、第１の位置決め部２０ｄと嵌合する外形嵌合部２１ａａが形成されている。外形嵌合部２１ａａの周囲には、フランジ部２１ａｂが形成される。信号端子ステージ２１は、第１の位置決め部２０ｄと、該第１の位置決め部２０ｄに嵌合する外形嵌合部２１ａａによって位置決めされ、フランジ部２１ａｂが係合部材２０とトップカバー１４（図２参照）に挟持されることによって固定される。すなわち、信号端子ステージ２１は、直接係合部材２０と位置決めされる構成になっている。
【００５０】
また、係合部材２０には、信号端子コネクタ２２と位置決めするための一対の第２の位置決め部２０ｅが形成されている。信号端子コネクタ２２には、一対の位置決め部２０ｅと嵌合し、Ｙ方向に延伸する一対の位置決め凸部２２ｉが形成されている。信号端子コネクタ２２は、係合部材２０に形成された一対の位置決め部２０ｅと信号端子コネクタ２２に形成された一対の位置決め凸部２２ｉが嵌合することによって位置決めされる。また、信号端子コネクタ２２の端子が並ぶピッチ方向（Ｘ方向）において、電子ビューファインダ１６の接続プラグ１６ａ（図１参照）は、係合部材２０の第１の係合部２０ｂの内側側壁間隔２０ｂｂ（図３参照）によって位置が規制される。
【００５１】
すなわち、信号コネクタ２２、及び接続プラグ１６ａは、係合部材２０に対して直接位置決めされるので、信号端子コネクタ２２と接続プラグ１６ａは正確に位置が定まる。
【００５２】
信号端子コネクタ２２は、フランジ部２２ｈ上に配置されたパッキン部材２４（図２参照）を介して、トップカバー１４（図２参照）とアクセサリーシュー保持部材２５（図２参照）に挟持されることによって固定されている。パッキン部材２４は、信号端子コネクタ２２とトップカバー１４との間の隙間を埋める。
【００５３】
図４（ｂ）において、信号端子ステージ２１の下側面から、シンクロナイザ接点２１ｂのリード部２１ｂａと、接点２１ｃのリード部２１ｃａが突出するように伸延している。シンクロナイザ接点２１ｂのリード部２１ｂａと、接点２１ｃのリード部２１ｃａは、それぞれフレキシブル基板２３と、例えば、半田で接合される。また、信号端子コネクタ２２のフランジ部２２ｈの下側面から、フレキシブル基板２３と、例えば半田で接合される第１の端子列２２ｂのリード部２２ｂａと、第２の端子列のリード部２２ｄａが突出するように延伸している。
【００５４】
次に、トップカバー１４へのアクセサリーシュー１３の取付け方法について説明する。
【００５５】
図５は、トップカバー１４のアクセサリーシュー１３が取り付く箇所を示す斜視図及びその拡大斜視図であり、図５（ａ）は、トップカバーの外観面側を示した図であり、図５（ｂ）は、トップカバーの内観面側を示した図である。
【００５６】
図５（ａ）において、トップカバー１４は、撮像装置１０の上面の外観を形成する外装部材である。トップカバー１４の外観面側には、信号端子コネクタ２２を覆い隠すように廂形状部１４ａが形成されている。また、トップカバー１４の外観面側には、信号端子ステージ２１のフランジ部２１ａｂを収容する凹部１４ｂ、検出ピンが摺動嵌合する摺動孔１４ｃが形成されている。また、トップカバー１４の外観面側には、信号端子コネクタ２２に形成された一対の位置決め凸部２２ｉが貫通する一対の第１の貫通孔１４ｄが形成されている。さらに、トップカバー１４の外観面側には、信号端子ステージ２１のリード部２１ｂａ、２１ｃａが貫通する第２の貫通孔１４ｅ、ビス２６が貫通するビス孔１４ｆが形成されている。
【００５７】
図５（ｂ）において、トップカバー１４の内観面側には、信号端子コネクタ２２の端子（第１の端子列２２ｂ、第２の端子列２２ｄ）を外部に露出させるための開口であり信号端子コネクタ２２を収容する空間１４ｇが形成されている。収容空間１４ｇの周囲には、パッキン部材２４と当接する接合面１４ｈが連続した一つの面で形成されている。また、トップカバー１４の内観面側には、アクセサリーシュー保持部材２５の位置決め部１４ｉが形成されている。
【００５８】
次に、本発明の特徴部分であるアクセサリーシュー装置の防滴性能について説明する。
【００５９】
図６は、アクセサリーシュー装置１３の周辺構造を説明するための拡大断面図であり、図６（ａ）は、Ｘ方向に直交する断面図であり、図６（ｂ）は、Ｚ方向に直交する断面図である。
【００６０】
図６において、信号端子ステージ２１は、トップカバー１４に設けられた凹部に収容され、信号端子ステージ２１のフランジ部２１ａｂが係合部材２０とトップカバー１４によって挟持されている。係合部材２０と信号端子ステージ２１は、信号端子ステージ２１にフランジ部２１ａｂを設けたことにより、インロー構造となり、信号端子ステージ２１のリード部２１ｂａ、２１ｃａには直接水滴が侵入しない構成になっている。このような構成において、さらに、信号端子ステージ２１とトップカバー１４の間に、例えば、不連続性で薄膜状の発砲基材やゴム部材等の弾性部材を配置し、弾性部材を圧縮することで更に防滴性能を高めることも可能である。
【００６１】
一方、信号端子コネクタ２２は、トップカバー１４に形成された廂形状部１４ａと係合部材２０の連結部２０ｃによって覆い隠されている。信号端子コネクタ２２は、係合部材２０と相対的な位置決めをするために、トップカバー１４とは直接位置を決めることができない。すなわち、信号端子コネクタ２２とトップカバー１４の間には、部品公差を考慮した隙間を設ける必要がある。
【００６２】
しかしながら、従来装置においては、このような隙間を経て、撮像装置１０内に水滴又は湿気が侵入する虞があった。
【００６３】
そこで、本実施の形態においては、信号端子コネクタ２２と係合部材２０とを、信号端子コネクタ２２の周囲を囲むトップカバー１４を挟み込むように固定し、かつ信号端子コネクタ２２とトップカバー１４の接合面１４ｈとの間にパッキン部材２４を介在させた。これによって、信号端子コネクタ２２の下方への水滴及び湿気の浸入を防止し、ひいては、フレキシブル基板５１が挿入されるトップカバー１４の開口５２１を経て水滴及び湿気が撮像装置１０内へ侵入するのを防止し、防滴性能を確保している。
【００６４】
このように、図６において、パッキン部材２４は、信号端子コネクタ２２のフランジ部２２ｈとトップカバー１４の接合面１４ｈの間に介在されている。パッキン部材２４を介在させた状態で、アクセサリーシュー保持部材２５（図２（ａ）参照）がビス２６により引き込まれると、パッキン部材２４が信号端子コネクタ２２のフランジ部２２ｈとトップカバーの接合面１４ｈで押し潰される。そして、トップカバー１４と信号端子コネクタ２２の隙間がなくなる。すなわち、信号コネクタ２２のフランジ部２２ｈの下側には水滴が侵入しない構造となっている。これによって、信号コネクタ２２のフランジ部２２ｈの下側設けられた第１の端子列のリード部２２ｂａと、第２の端子列のリード部２２ｄａの半田接合部には、外部からの湿気、水滴に曝されることはない。
【００６５】
本実施の形態によれば、信号端子コネクタ２２と係合部材２０を、信号端子コネクタ２２の周囲を囲むトップカバー１４を挟み込むように位置決めして固定し、信号端子コネクタ２２とトップカバー１４との接合面にパッキン部材２４を介在させた。これによって、係合部材２０と信号端子コネクタ２２を一体化せずとも端子が並ぶピッチ方向（Ｘ方向）の位置決め精度を確保しつつ、防滴性能を向上させることができる。
【００６６】
なお、本実施の形態では多極化したアクセサリとして電子ビューファインダを例にしているが、多極化したアクセサリは大型モニタやマイクなどであってもよい。
【符号の説明】
【００６７】
１０  撮像装置
１３  アクセサリーシュー
１４  トップカバー
１６  電子ビューファインダ
２０  係合部材
２０ｅ  一対の第２の位置決め部
２２  信号端子コネクタ
２２ｈ  フランジ部
２２ｉ  一対の位置決め凸部
２４  パッキン部材
【図１】
0006643119.tif 000002
【図２】
0006643119.tif 000003
【図３】
0006643119.tif 000004
【図４】
0006643119.tif 000005
【図５】
0006643119.tif 000006
【図６】
0006643119.tif 000007